(57)【要約】【課題】  漆塗りを施された木製の工芸品の漆塗層に、サンドブラスト加工により立体的に写真画像、模様等を刻設し、量産が可能で安価で土産品として好適な工芸品とする。【解決手段】  漆塗りを施された木製の工芸品本体の漆塗層２に、サンドブラスト加工により刻設３された写真画像、模様、図形、文字等の表示体４を表す。【選択図】  図２
0003108482.tif 000002
【実用新案登録請求の範囲】
【請求項１】
漆塗りを施された木製の工芸品本体の漆塗層に、サンドブラスト加工により刻設された写真画像、模様、図形、文字等の表示体が表されていることを特徴とする工芸品。
【請求項２】
漆塗層は単色で表示体は同一色の濃淡で表されていることを特徴とする工芸品。
【請求項３】
表示体は購入者の希望した写真画像、模様、図形、文字であることを特徴とする請求項１又は２記載の工芸品。
【請求項４】
刻設部分に箔又は金粉、銀粉、プラチナ粉、青銀粉等の金属粉が付着されていることを特徴とする請求項１から３のいずれかに記載の工芸品。
【考案の詳細な説明】
【技術分野】
【０００１】
本考案は、観光地等の土産品又は結婚、誕生等の記念品として好適な工芸品に係り、詳しくは、漆塗りを施した木製工芸品の漆塗り層の表面に写真画像等を施された工芸品に関するものである。
【背景技術】
【０００２】
従来、漆を塗布した調度品や器物、或いは装飾用パネル等は蒔絵や沈金が施されたものが殆どである。
しかし、これ等のものは熟練者が長時間をかけて制作しているもので、量産ができず、高価なものとなり、土産品や記念品にふさわしくない。
【０００３】
そこで、量産性に優れ、立体感のある異なった色絵模様を備えた工芸品を製造する方法として、特開平６ー３２０１０４のものが提案されている。
この方法は、工芸品素地の表面に異なった色の塗料を順次重塗りし、乾燥して重塗り被覆層を形成し、この重塗り被覆層にエッチングをサンドブラスターで行い、それぞれ所望の異なった色の層を現出させることにより絵付けを行うもので、これにより立体的かつシャープな絵模様を量産するようにしたものである。
【考案の開示】
【考案が解決しようとする課題】
【０００４】
上記点より、本考案は漆塗りを施された木製工芸品の漆塗層に、サンドブラスト加工により立体的に写真画像、模様等を刻設し、量産が可能で安価で土産品や記念品として好適な工芸品を提供しようとするものである。
【課題を解決するための手段】
【０００５】
上記課題を解決するため請求項１記載の本考案工芸品は、漆塗りを施された木製の工芸品本体の漆塗層に、サンドブラスト加工により刻設された写真画像、模様、図形、文字等の表示体が表されていることを特徴とするものである。
【０００６】
このような構成とすることにより、工芸品本体の漆塗層にサンドブラスト加工によりエッチングされた写真画像、模様等の表示体は、エッチングの粗密により立体感のある表示体に表現が可能となる。又、サンドブラスト加工により実施するので、量産性が良好となる。
そして、工芸品は古来からの木製の工芸品本体の表面に漆塗層が形成されているため、漆工美術として価値を有するものとなる。
【０００７】
次に、請求項２記載の本考案工芸品は、請求項１記載の工芸品において、漆塗層は単色で表示体は同一色の濃淡で表されていることを特徴とするものである。
【０００８】
このような構成とすることにより、漆塗層はエッチングが粗の箇所は濃色となり、密の箇所は淡色となり、同一色の濃淡で写真画像、模様等の表示体が容易に表現でき、多色のものに比べて漆塗層と写真画像、模様等の表示体が一体化し、落ち着いた表現となる。
【０００９】
次に、請求項３記載の本考案工芸品は、請求項１又は２記載の工芸品において、表示体は購入者の希望した写真画像、模様、図形、文字であることを特徴とするものである。
【００１０】
このような構成とすることにより、結婚、誕生、入学等の祝いに相応しい記念品となる。又、旅先での記念写真を表せば、旅の良い記念品となる。
【００１１】
次に、請求項４記載の本考案工芸品は、請求項１から３のいずれかに記載の工芸品において、刻設部分に箔又は金粉、銀粉、プラチナ粉、青銀粉等の金属粉が付着されていることを特徴とするものである。
【００１２】
このような構成とすることにより、刻設部分が箔又は金粉、銀粉、プラチナ粉、青銀粉等の金属粉の輝きにより装飾性が付加され、豪華な工芸品となる。
【考案の効果】
【００１３】
請求項１記載の本考案工芸品によれば、サンドブラスト加工によりエッチングされた写真画像、模様等の表示体は、エッチングの粗密により立体感のある表示体に工芸品本体の漆塗層に表現が可能となると共に、量産できるので安価に制作でき、土産品や記念品に好適となる効果を有する。
又、工芸品は木製の素地を使用しているため暖か味があり、漆との相性も良く、木製の漆工美術としての価値を有し、土産品や各種記念品に好適なものとなる効果を有する。
【００１４】
請求項２記載の本考案工芸品によれば、写真画像、模様等の表示体は同一色の濃淡で表されているため、多色のものに比べて漆塗層と写真画像、模様等の表示体が一体化し、落ち着いた表現となる効果を有する。
又、漆塗層は単色であるため、漆塗り作業やエッチング作業が短時間で行え、量産性が良好となる。
【００１５】
請求項３記載の本考案工芸品によれば、購入者の希望した写真画像、模様、図形、文字であるため、結婚、誕生、入学等の祝いに相応しい記念品となると共に、旅先での写真を表せば、旅の良い記念品となる等、各種の記念品として好適な効果を有する。
【００１６】
請求項４記載の本考案工芸品によれば、刻設部分が箔又は金粉、銀粉、プラチナ粉、青銀粉等の金属粉の輝きにより装飾性が付加されて豪華な工芸品となる効果を有する。
【考案を実施するための最良の形態】
【００１７】
以下、本考案の一実施の形態を添付図面を参照して説明する。
図１は本考案工芸品の一実施の形態を示す正面図、図２は同上の一部拡大断面図である。
本考案工芸品は木製で、観光地等の土産品又は結婚、誕生、入学等の祝い事の記念品等に好適で、室内等の壁面に吊り掛け又は机上等に立て掛けて置く装飾用のパネル、又は盆等の器物或いは調度品等も対象となる。
【００１８】
図中１は木製工芸品本体であるパネルであり、パネル１の表側となる一方の面及び周側面に漆塗りが施され、漆塗層２が形成されている。
勿論、パネル１の裏面にも漆塗層２が形成されていても良い。パネル１は図面では方形であるが、形状は限定されるものではない。
【００１９】
漆塗層２は天然又は合成漆の何れでも良く、板体に刷毛等で塗布される。漆は朱色、黒色、茶色等、各種の色のものがあるが、何れか一色の単色となっている。
【００２０】
漆塗層２にサンドブラスト加工により刻設３された写真画像、模様、図形、文字等の表示体４が表されている。
表示体４は購入者の希望したもの、例えば、結婚、誕生、入学等の祝い時に写した写真画像や、旅先での写真画像等と文字等を適宜組み合わせて作成することができる。
又、観光地では風景等を表したり、或いは家庭で飼われているペット等の写真画像を表すことができる。
【００２１】
サンドブラスト加工による刻設方法は、刻設３する写真画像、模様、図形、文字等の表示体４をスキャナーやデジタルカメラにより電子データとしてコンピュータに取り込み、取り込んだデータに電子的レタッチ修正処理をし、修正処理データを網点データに変換する。
次に、網点データを転写フィルムに印刷し、この転写フィルムをＵＶ硬化性フィルムの上に重ねて紫外線露光器にセットし、転写フィルムに照射する。
【００２２】
露光した後に転写フィルムを外し、ＵＶ硬化性フィルムをアルカリ処理すると、硬化しなかった部分が洗い流され、網点部分が穿孔された状態となり、ＵＶ硬化性フィルムは露光・アルカリ処理後、マスキングフィルムとなる。
【００２３】
次に、刻設３する漆塗層２にマスキングフィルムを貼付し、細かい粒子の研磨剤を使用し、ガンホースを通じてエアガンで高圧に吹き付ける。これによりマスキングフィルムの穿孔部分が刻設３され、パネル１の漆塗層２に表示体４が表される。
【００２４】
漆塗層２は、エッチングが粗い箇所は濃色となり、密の箇所は淡色となり、同一色の濃淡で表示体４は表される。
漆塗層２の厚さは刻設可能な厚さであれば良い。刻設後、マスキングフィルムを剥離し、漆塗層２を洗浄し完成する。
【００２５】
表示体４の刻設３部分に、図３に示すように、箔又は金粉、銀粉、プラチナ粉、青銀粉等の金属粉５が漆を接着剤として刻設３部分を埋めるように付着されている。これにより表示体４は輝いて装飾性が増大し、豪華なものとなる。
【００２６】
以上、本考案を実施形態に基づき具体的に説明したが、本考案は上記実施形態に何ら限定されるものではなく、本考案の趣旨を逸脱しない範囲内において種々の改良、変形が可能である。
【図面の簡単な説明】
【００２７】
【図１】本考案工芸品の一実施の形態を示す正面図である。
【図２】図１の一部拡大断面図である。
【図３】本考案工芸品の他の実施の形態を示す一部拡大断面図である。
【符号の説明】
【００２８】
１  パネル
２  漆塗層
３  刻設
４  表示体
５  金属粉
【図１】
0003108482.tif 000003
【図２】
0003108482.tif 000004
【図３】
0003108482.tif 000005
【手続補正書】
【提出日】平成16年11月29日(2004.11.29)
【手続補正１】
【補正対象書類名】実用新案登録請求の範囲
【補正対象項目名】全文
【補正方法】変更
【補正の内容】
【実用新案登録請求の範囲】
【請求項１】
漆塗りを施された木製の工芸品本体の漆塗層に、サンドブラスト加工により刻設された写真画像、模様、図形、文字等の表示体が表されていることを特徴とする工芸品。
【請求項２】
漆塗層は単色で表示体は同一色の濃淡で表されていることを特徴とする請求項１記載の工芸品。
【請求項３】
表示体は購入者の希望した写真画像、模様、図形、文字であることを特徴とする請求項１又は２記載の工芸品。
【請求項４】
刻設部分に箔又は金粉、銀粉、プラチナ粉、青銀粉等の金属粉が付着されていることを特徴とする請求項１から３のいずれかに記載の工芸品。